(57)【特許請求の範囲】
【請求項１】
天板の下に配線収容部を具備すると共に該収容部に対応した部位の天板に配線挿通用の溝状開口部を形成した配線ダクトにおいて、前記開口部に、その開口部の長さ方向に沿い、かつ、閉じたとき蓋同士の対向面の間に配線挿通用の隙間が形成される縦幅に形成した２つの蓋を、当該開口部の長さ方向両端の蓋支持部に設けた支持ピンに前記蓋に設けたピン受けにおいて着脱可能かつ回転自在に支持させると共に、当該蓋を閉じた状態で水平姿勢に支持する蓋受部材を前記蓋支持部に設けることにより、その蓋を上方へ向け観音開き態様で開閉可能に保持し、かつ、蓋を閉じた状態で前記隙間から配線が挿通できるようにしたことを特徴とする多人数用テーブルの配線ダクトにおけるカバー装置。
【請求項２】
２つの蓋に対して、各蓋の開き角を規制するためのストッパ手段を蓋支持部に設けた請求項１の配線ダクトにおけるカバー装置。
【発明の詳細な説明】
【０００１】
【発明の属する技術分野】
本発明は多人数で使用するテーブルやデスクなどに設けられた配線ダクトのカバー装置に関する。
【０００２】
【従来の技術】
オフィス等における近年の急激ないわゆるＯＡ化の進展、並びに、それに伴うオフィスにおける人の配置形態や業務形態の変化などにより、オフィス等で使用するデスクやテーブルでは、複数の人員が着席する場所を特定しない、いわゆるフリーアドレス化が進み、テーブル等の天板の上で各人が夫々に使用する複数台のパソコンやＰＤＡを始めとする様々な携帯端末のために、多量の電源線や信号線（又は情報線）、或は、これらのコンセントやハブなどの機器を不可欠とする状況になっている。
【０００３】
従来から、デスクやテーブルの上で使用するパソコンなどを始めとする諸々の電気，電子機器用の配線を天板上に導き出したり、余剰配線やコンセント等の機器を体裁よく収納しておくため、配線ダクトを前記天板の下面側に装備する形態のテーブル等が提供されているが、従来のテーブル等の配線ダクトは、配線が通れば足りる程度の規模であって、一つの天板に４人〜８人程度の人員が同時に着いて各人がパソコン等の機器を使用するのに必要な大容量或は多量の配線に対応できるものではなかった。
【０００４】
一般に、配線ダクトは、配線収容部を天板の下に配置し、フリーアクセスフロア等の床側から引出された各種の配線を一旦上記配線収容部に収容し、天板上で必要とする長さの配線をその配線収容部から天板に設けた配線挿通口を通して天板上に引出す態様での利用形態が多い。
【０００５】
また、従来の配線ダクトにおいては、天板下の配線収容部の中から配線挿通口を通して天板上に配線を引出すための配線路或は経路は、当該配線収容部に対面した部位の天板に配線挿通のために着脱自在又は開閉自在の蓋を具備した、又は、蓋を具備しない穴を明けたり、あるいは当該配線収容部に沿った部位の天板に配線挿通用のために着脱又は開閉を自在とした蓋を具備した、又は、そのような蓋を具備しない開口部を形成することにより形成されたものが大半である。
【０００６】
しかし乍ら、多人数の者がフリーアドレス方式で使用する大形のテーブルやデスクにおいては、天板上に引き出される配線が多量になるのみならず、収容するコンセントやハブなどの機器も大型のものとなるため、天板下の配線収容部の容量を大きく形成し、これに伴って天板に形成される配線挿通口も多量の配線等の出入れのために大形に形成する必要があり、このためその挿通口に装着される蓋も自づから大形になるが、配線挿通口の蓋が大形であると開けた状態の蓋が邪魔になったり、蓋の開閉操作が容易でないなど、解決すべき問題点がある。
【０００７】
また、上記問題点のほかに、配線収容部に沿って配線挿通用の開口部を蓋付きで形成した形態のものでは、不使用時に天板上の開口部が蓋で閉じられたり覆われたりするので見映えの上では好ましいが、使用時に、着脱式の蓋では取外した蓋の置き場所に苦慮したり、開閉式の蓋では開けた蓋が配線の挿通や天板上に物を置く際などに邪魔になり易いという問題もある。
【０００８】
一方、上記の配線収容部に対して天板に設けた配線挿通用の溝状開口部に、着脱式の蓋を具備した型式のものでは、使用時に蓋を外せば開口部が全面開口されるので多量の配線の出入れに向いていると共に、配線収容部の内部側に対する開口部からのアクセスが行い易いという利点があり、また、開閉式の蓋を具備したものでは、蓋の取扱いが着脱式に比べ楽になるという利点がある。
【０００９】
特に、最近では、各人が一台又はそれ以上のパソコン等を使用することが多いため、複数人が同時に使用するフリーアドレス方式のテーブルなどでは、多量に配線を天板上に導出する必要があるが、そのような大容量の配線の出入れや収納に適した大形の配線収納部や配線挿通口を具備したテーブル等は未だ見当らない。
【００１０】
【発明が解決しようとする課題】
本発明は上記のような配線挿通用の開口部に着脱式又は開閉式の蓋を具備した家具用配線ダクトの現状、その蓋の形式違いに基づく長所と短所に鑑み、両形式の蓋の長所を活かした形態の蓋であって、多量の配線や大形のコンセント等の出入れや収容，設置に適した配線ダクトのカバー装置を提供することをその課題とするものである。
【００１１】
【課題を解決するための手段】
上記課題を解決することを目的としてなされた本発明配線ダクトのカバー装置の構成は、天板の下に配線収容部を具備すると共に該収容部に対応した部位の天板に配線挿通用の溝状開口部を形成した配線ダクトにおいて、前記開口部に、その開口部の長さ方向に沿い、かつ、閉じたとき蓋同士の対向面の間に配線挿通用の隙間が形成される縦幅に形成した２つの蓋を、当該開口部の長さ方向両端の蓋支持部に設けた支持ピンに前記蓋に設けたピン受けにおいて着脱可能かつ回転自在に支持させると共に、当該蓋を閉じた状態で水平姿勢に支持する蓋受部材を前記蓋支持部に設けることにより、その蓋を上方へ向け観音開き態様で開閉可能に保持し、かつ、蓋を閉じた状態で前記隙間から配線が挿通できるようにしたことを特徴とするものである。
【００１２】
本発明配線ダクトのカバー装置は、上記構成において、２つの蓋は、それぞれの開き角を規制するためのストッパ手段を蓋支持部に設けた形態にすることもある。
【００１３】
【発明の実施の形態】
次に本発明配線ダクトのカバー装置の実施の形態例について、図を引用しつつ説明する。図１は本発明配線ダクトのカバー装置の一例を具備した多人数用テーブルの例の平面図、図２は図１のテーブルの正面図、図３は図１のカバー装置を拡大した要部の平面図、図４は図１〜図３におけるカバー装置において２つの蓋を閉じた状態を例示した図３のＡ−Ａ矢視断面拡大図、図５は図４の蓋を開けた状態の側断面図、図６は図３のＢ−Ｂ矢視端面図、図７は図１〜図６における蓋を取外しを説明するための側断面図、図８は本発明配線ダクトのカバー装置の第二例において２つの蓋を閉じた状態を例示した側断面図、図９は図８の蓋を開けた状態の側断面図、図10は図８，図９における蓋を配線収容部側へ落す状態を説明するための側断面図、図11は図10の蓋を落した状態の側断面図、図12は図８〜図10の配線ダクトのカバー装置の要部の平面図、図13は本発明配線ダクトのカバー装置の第三例における２つの蓋を閉じた状態を例示した側断面図、図14は図13の蓋を開けた状態の側断面図、図15は図13，図14の配線ダクトのカバー装置の要部の平面図である。
【００１４】
図１，図２は本発明配線ダクトのカバー装置を設けた多人数用テーブルＴを例示したものであり、ここでは一例として横2400mm程度、縦1400mm程度の天板１の中央部に、本発明カバー装置Caの一例が配置されている。このカバー装置Caは、前記天板１のほぼ中央部に形成した当該天板１の左右方向に沿った略長方形状に形成された溝状の開口部２と、この開口部２の下方に設けられた箱状の配線収容部３とによる配線ダクトにおける前記開口部２の蓋として設けられている。前記開口部２は、その下の配線収容部３に収容される配線或はコンセントやハブに接続された配線を天板１の上に引出すための配線挿通部としての基本機能を有する。なお、図１，図２において、ＬはこのテーブルＴの脚、Ｆは脚Ｌと一体化された天板支持フレームである。
【００１５】
４，５は上記天板１の下面側において、当該天板１に形成した開口部２を挟む態様で対向設置された断面が大略凹状をなす部材による配線収容部３の取付ベースで、この取付ベース４，５には、図では下半側が略示されているが、大略有底箱状をなす配線収容部３が、全面的に開口された上部近傍において着脱自在、或は、固定的に取付けられている。本発明における配線収容部３には、図示した箱状のものに限られず、樋状，トレー状，棚板状のものも含まれる。
【００１６】
上記の配線収容部３は、図示しないがその底部に、床FLから立上げられる配線Ｗを当該収容部３の内部へ導入するための穴やスリット（図に表われず）が形成され、また、この収容部３の前後壁Waは、開閉可能又は着脱自在の蓋部に形成されている。更には、この配線収容部３の左右側壁には、この収容部３を通る配線を左右方向に導出，導入するための穴やスリットが設けられることもある。
【００１７】
本発明配線ダクトのカバー装置Caは、以上に述べた天板１の開口部２とその下に配置される配線収容部３とによる配線ダクトにのみ適用できるものではなく、上記例以外の構造を具備した天板の開口部とその下に設けられる配線収容部による配線ダクトに対しても適用できる。以下に、上記例の開口部２，配線収容部３を具備した本発明配線用ダクトのカバー装置Caの構成について説明する。
【００１８】
図３〜図７において、６，７は上記天板１の溝状の開口部２を、その開口部２の左右の長さ方向に沿いかつ前後幅において２分する縦幅（図３の上，下方向、図４の左，右方向）であって対向させたとき間に隙間８が形成される縦幅を有し、前記開口部２の左右幅（長さ）を塞ぐことができる横幅（長さ）に形成した２つの蓋で、前記開口部２に対して開閉自在に設けられるものである。因みに、図１，図２において開口部２の左右の全幅は約1200mm、縦幅（上下幅）は約140mm、蓋６，７の縦幅が約50mm前後、隙間８の幅が約30mmである。
【００１９】
上記の２つの蓋６，７は、図１，図２の例では開口部２の左右幅をその上部の中間で仕切り、２つに仕切られた個々の開口部の左，右側端部に形成した蓋支持部9L，9Rの立壁に水平姿勢で左右対向させて突設した２組の支持ピン10L，10Rと11L，11Rに、開口部２の縁に近い側に寄せて当該蓋６，７に設けたキャッチ部材状のピン受け12，13により、着脱可能かつ旋回（開閉）自在に取付けられている。14L，14Rは、上記２つの蓋６，７を閉じたとき、それが水平姿勢を維持するため前記支持部9L，9Rに設けた蓋受部材で、両端部に蓋６，７の開き角を規制するための立壁状のストッパ14a，14bが設けられており、以上に述べた蓋６から蓋受部材14Rまでの構成により、本発明配線ダクトにおけるカバー装置Caの一例が形成される。なお、蓋６，７は、その後端側裏面が前記ストッパ14a，14bに係止される係止部6a，7aとして機能する。また、6b，7bは蓋６，７の下面に設けた蓋受部材14L，14Rの上面に当接する衝撃音防止用のクッション材である。
【００２０】
上記のように形成される本発明配線ダクトにおけるカバー装置Caは、次のような形態で使用する。まず、図４に示すように、２つの蓋６，７を閉じた状態であっても、両蓋６，７の対向面（蓋６，７の前端側）の間には、図示した例では30mm幅程度の隙間８があるので、この配線ダクトのカバー装置Caでは図４の状態で隙間８から配線収容部３に対して例えば、12〜13mmφ程度の大径のケーブルの２本以上の配線の出入れを楽に行うことができる。また、蓋６，７を閉じた状態で、それらの蓋６，７の上に、天板１の上で使用するパソコンPCなどが乗っていても前記隙間８からの配線の出入れには何ら支障となることはない（図３参照）。
【００２１】
図４の蓋６，７を閉じた状態において、配線収容部３に対して隙間８からでは配線等を通し難い、或は、容易には通せない程の多量の配線やコンセントやハブ等の機器を前記収容部３に出入れしたい場合には、図５に示すように一方の蓋６又は７、或は、両方の蓋６，７を開けることにより、隙間８を拡大（片方の蓋６又は７を開けるだけで隙間８の拡大率は図４の約２倍強になる）して行う。
【００２２】
両方の蓋６，７を開けただけでは、未だ間口が狭い場合、或は、配線収容部３に収容している配線や機器の出入れ、或は、これらを収容したままでメンテナンス等を行い場合などには、図７に示すように、双方の蓋６，７、或は、その一方を、ピン10L，10R、同11L，11Rからそのピン受12，13を例えば図の矢印方向へ離脱することにより蓋６，７を取外す。蓋６，７を取外すと、天板１の開口部２は全面的に開口された状態になるので、配線収容部３の内部に対するアクセスが更に行い易くなる。
【００２３】
なお、上記例の蓋６，７は、その左右側端部は、図４，図５，図７に示した断面形状であるが、その中間部は、図６に例示したように、簡易な断面形状にしている。その理由は、図４に示す蓋６，７の断面形状のように、構成部材が中空で閉じた形状であると、蓋開閉時などの衝突音が響き易くなるので、蓋６，７の両端部を除いた中間部は閉じない断面形状とし、また、これにより蓋６，７の重量軽減を図ったものである。この点は、次に説明する図８〜図15における蓋６，７についても同様である。
【００２４】
以上に説明した本発明配線ダクトのカバー装置Caは、図８〜図12に示した構成、或は、図13〜図15に示した構成にしても、図４〜図７により上記に説明した本発明ダクトのカバー装置Caと同様の作用，効果があるので、以下に説明する。なお、図８〜図15において、図１〜図７と同一符号は同一部材，同一部位を示すものとする。
【００２５】
図８〜図12に例示した本発明配線ダクトのカバー装置Caでは、蓋６，７の支持形態を、図４〜図７の例から変形させている。なお、蓋６，７の縦幅（図５の左右方向、図９の上下方向）は、図４〜図７の例と同じとする。
【００２６】
図８〜図12に例示した本発明配線ダクトのカバー装置Caでは、蓋６，７の左，右側端に対面した左右の支持部9L，9Rの立壁に、一つの蓋６及び７のそれぞれについて２本の水平で平行なピン10aL，10bLと10aR，10bR、同じく11aL，11bLと11aR，11bRを設ける一方、２の蓋６，７の左右の側端面には、それぞれ前記各ピンに上から被せられる２個を一組とする下向き凹状のピン受12a，12b、13a，13bを形成して蓋部が構成されている。なお、15は蓋６，７の左右側端面において、ピン受12aと12b、同じくピン受13aと13bに通じるように形成した水平な凹溝である。
【００２７】
図８〜図12により説明した上記構成において、ピン10aL，11aRが図４〜図７の例におけるピン10L，10Rに相当し、図８〜図12の例のピン受12a，13aが図４〜図７の例のピン受12，13に相当する。また、図８〜図12のピン10bL，11bLとピン受12b，13bが図４〜図７における蓋受部材14L，14Rの機能を果す。
【００２８】
上記構成によって、図８〜図12の蓋６，７に示すように、これらの蓋６，７は、夫々にピン10aL，11aRを支点にして開口部２に対し開放することができる。また、開けた蓋６，７は、図10，図11に例示するように、開けた蓋６，７を略垂直に立てた姿勢（図10参照）で、蓋７では右側（蓋６では左側）に少し水平移動させると、開閉支点のピン11aR（蓋６ではピン10aL）が、蓋６，７の側面に形成した凹溝15に入り、この凹溝15に案内されて前記ピン11aR（蓋６ではピン10aL）には当該凹溝15の先にあるもう一つのピン受11bL（蓋６ではピン受10bL）が入り、当該蓋７（又は６）が開口部２の内部側に落込み、図11の形態になる。この結果、図８〜図12の実施形態における蓋６，７は、開けた状態のままでも蓋６，７の上面が天板１の高さとほぼ同じ位になるので、見映えの点、或は、開口部２にかかって物品が置かれる場合にも支障になり難いという利点がある。
【００２９】
更に、本発明配線ダクトのカバー装置Caは、図13〜図15に例示する形態においても実施できるので、以下に説明する。図13〜図15においても、先に述べた図１〜図12で使用した符号と同一符号は同一部材，同一部位を示すものとする。
【００３０】
図13〜図15の例では、２つの蓋６，７を天板１の開口部２の縁に寄った側部において、それぞれ左，右の軸10′L，10′R、同じく11′L，11′Rにより枢着すると共に、隙間８に近い側の下面にキャッチ部材16，17を設け、この部材16，17に対応する蓋支持部9L，9Rに支持ピン16a，17aを設けて本発明配線ダクトにおけるカバー装置Caの第三例に形成されている。
【００３１】
図13〜図15の例では、蓋６，７が軸10′L，10′R、同11′L，11′Rを中心に開閉できる点は、図４〜図12により説明した蓋６，７の開閉形態とほぼ同様であるが、図13〜図15の例では蓋６，７を閉じたとき、その水平姿勢（閉じ姿勢）が、蓋６，７に設けたキャッチ部材16，17とこれに保持される支持ピン16a，17aにより拘束される点で、先の例と異なっている。また、図13〜図15の例では、蓋６，７が夫々の軸10′L〜11′Rによって開口部２の蓋支持部9L，9Rに枢着されている点でも異なるが、この枢着部を着脱可能の構造とするのは任意である。例えば、蓋６，７の裏面に夫々の前記軸10′L〜11′Rに支持される下向きの凹溝（図示せず）を設けたり、この凹溝部分を上記キャッチ部材16，17と同様のキャッチ部材により形成すればよい。
【００３２】
【発明の効果】
本発明は以上の通りであって、多人数用のテーブルの天板に設けた配線挿通用の開口部に着脱式又は開閉式の蓋を具備した家具用配線ダクトの現状、殊にその蓋の形式違いに基づく長所と短所に鑑み、両形式の蓋の長所を活かした形態の蓋を具備すると共に、多量の配線や大形のコンセント等を収容設置できる大形の配線ダクト用のカバー装置を得るため、天板の下に配線収容部を具備すると共に該収容部に対応した部位の天板に配線挿通用の溝状開口部を形成した配線ダクトにおいて、前記開口部に、その開口部の長さ方向に沿い、かつ、閉じたとき蓋同士の対向面の間に配線挿通用の隙間が形成される縦幅に形成した２つの蓋を、当該開口部の長さ方向両端の蓋支持部に設けた支持ピンに前記蓋に設けたピン受けにおいて着脱可能かつ回転自在に支持させると共に、当該蓋を閉じた状態で水平姿勢に支持する蓋受部材を前記蓋支持部に設けることにより、その蓋を上方へ向け観音開き態様で開閉可能に保持し、かつ、蓋を閉じた状態で前記隙間から配線が挿通できるように構成したから、天板の下に設けた大形の配線収容部に対して少量の配線の出入れから大量の配線や大形コンセントやアダプタなどの機器類の出入れまで、２つの蓋の開閉状態を選択的に操作することにより、きめ細かく対応することができるという利点がある。
【００３３】
また、上記の蓋は容易に取外すことが出来るので、配線収容部に対して蓋がない状態で全面開口された天板の開口部からアクセスすることができ、大き目の機器類の出入れやそのメンテナンスなども行い易いという効果がある。
【００３４】
更には、上記利点が得られる本発明配線ダクトのカバー装置は、その構成が至って簡潔であるから容易かつ低コストに作製提供することが出来る。
【図面の簡単な説明】
【図１】  本発明配線ダクトのカバー装置の一例を具備した多人数用テーブルの例の平面図。
【図２】  図１のテーブルの正面図。
【図３】  図１のカバー装置を拡大した要部の平面図。
【図４】  図１〜図３におけるカバー装置において２つの蓋を閉じた状態を例示した図３のＡ−Ａ矢視断面拡大図。
【図５】  図４の蓋を開けた状態の側断面図。
【図６】  図３のＢ−Ｂ矢視端面図。
【図７】  図１〜図６における蓋を取外しを説明するための側断面図。
【図８】  本発明配線ダクトのカバー装置の第二例において２つの蓋を閉じた状態を例示した側断面図。
【図９】  図８の蓋を開けた状態の側断面図。
【図10】  図８，図９における蓋を配線収容部側へ落す状態を説明するための側断面図。
【図11】  図10の蓋を落した状態の側断面図。
【図12】  図８〜図10の配線ダクトのカバー装置の要部の平面図。
【図13】  本発明配線ダクトのカバー装置の第三例における２つの蓋を閉じた状態を例示した側断面図。
【図14】  図13の蓋を開けた状態の側断面図。
【図15】  図13，図14の配線ダクトのカバー装置の要部の平面図。
【符号の説明】
１                  天板
２                  開口部
３                  配線収容部
４，５              配線収容部の取付ベース
６，７              蓋
８                  隙間
9L，9R              蓋支持部
10L，10R、11L，11R  支持ピン
10′L，10′R、11′L，11′R  軸
12，13              ピン受け
14L，14R            蓋受部材
15                  凹溝
16，17              キャッチ部材
【図１】
0004242594.tif 000002
【図２】
0004242594.tif 000003
【図３】
0004242594.tif 000004
【図４】
0004242594.tif 000005
【図５】
0004242594.tif 000006
【図６】
0004242594.tif 000007
【図７】
0004242594.tif 000008
【図８】
0004242594.tif 000009
【図９】
0004242594.tif 000010
【図１０】
0004242594.tif 000011
【図１１】
0004242594.tif 000012
【図１２】
0004242594.tif 000013
【図１３】
0004242594.tif 000014
【図１４】
0004242594.tif 000015
【図１５】
0004242594.tif 000016